(57)【要約】【課題】本体側通信モジュールからバンド切替のための制御信号を送る必要がなく、異なる２つのバンドを簡単な構成で切り替えることができるデュアルバンド対応の無線通信モジュールを提供する。【解決手段】方向性結合回路４と、方向性結合回路４の信号伝送路４ａに接続された第１スイッチ回路３と、第１スイッチ回路３に接続された第１周波数バンド用の第１送信回路１及び第２周波数バンド用の第２送信回路２と、方向性結合回路４のカップリング出力端４ｃに接続された電力検出回路５と、を有し、方向性結合回路４の入力端における送信信号の電力の大きさが周波数によらず一定値とされていると共に、方向性結合回路４の入力端と電力検出回路５の入力端との間の経路における第１周波数バンドに対する電力減衰量と第２周波数バンドに対する電力減衰量とを異ならせ、電力検出回路５で検出される電力の大きさによって第１スイッチ回路３が切り替えられる。【選択図】図１
2015133623.tif 000002
【特許請求の範囲】
【請求項１】
信号伝送用ケーブルによって本体側通信モジュールに接続される無線通信モジュールであって、
前記信号伝送用ケーブルが接続され送信信号が入力される高周波端子と、前記高周波端子に入力端が接続される方向性結合回路と、前記方向性結合回路の信号伝送路の出力端に共通端子が接続されていると共に第１接続端子及び第２接続端子を有する第１スイッチ回路と、前記第１接続端子に接続された第１送信回路と、前記第２接続端子に接続された第２送信回路と、前記方向性結合回路のカップリング出力端に接続された電力検出回路と、を有し、
前記第１送信回路は所定の第１周波数バンド内の信号を送信し、前記第２送信回路は前記第１周波数バンドとは異なる第２周波数バンド内の信号を送信するように構成されており、
前記方向性結合回路の入力端における前記送信信号の電力の大きさが周波数によらず一定値とされていると共に、前記方向性結合回路の入力端と前記電力検出回路の入力端との間の経路における前記第１周波数バンドに対する電力減衰量と前記第２周波数バンドに対する電力減衰量とを異ならせ、
前記電力検出回路で検出される電力の大きさによって前記第１スイッチ回路が前記第１接続端子又は前記第２接続端子に切り替えられることを特徴とする無線通信モジュール。
【請求項２】
前記電力検出回路が、前記検出される電力の大きさに相当する電圧を出力するように構成されていて、
前記電力検出回路と前記第１スイッチ回路の制御信号入力端との間に電圧比較回路を設けると共に、前記電圧比較回路に所定の第１電力値に相当する第１閾値電圧を設定し、
前記電力検出回路から出力される電圧が前記第１閾値電圧未満の時に、前記第１スイッチ回路が第１接続端子に切り替えられ、
前記電力検出回路から出力される電圧が前記第１閾値電圧以上の時に、前記第１スイッチ回路が第２接続端子に切り替えられることを特徴とする請求項１に記載の無線通信モジュール。
【請求項３】
前記方向性結合回路のカップリング出力端と前記電力検出回路の入力端との間にフィルタを接続し、前記フィルタの特性によって前記第１周波数バンドに対する電力減衰量と前記第２周波数バンドに対する電力減衰量とを異ならせた、ことを特徴とする請求項１又は請求項２に記載の無線通信モジュール。
【請求項４】
前記第１周波数バンド内の信号を受信する第１受信回路と、前記第２周波数バンド内の信号を受信する第２受信回路と、２つの入力端を有する結合器と、を有し、
前記第１受信回路の出力端と前記第２受信回路の出力端とが、前記結合器の２つの入力端それぞれに接続されていて、
前記第１スイッチ回路が第３接続端子を有していると共に、前記第３接続端子が前記結合器の出力端に接続されていて、
前記電力検出回路で検出される電力の大きさによって、前記第１スイッチ回路が、前記第１接続端子又は前記第２接続端子又は前記第３接続端子に切り替えられることを特徴とする請求項１に記載の無線通信モジュール。
【請求項５】
前記電力検出回路が、検出される電力の大きさに相当する電圧を出力するように構成されていて、
前記電力検出回路と前記第１スイッチ回路の制御信号入力端との間に電圧比較回路を設け、
前記電圧比較回路に所定の第１電力値に相当する第１閾値電圧、及び、前記第１電力値よりも電力値の小さな所定の第２電力値に相当する第２閾値電圧を設定し、
前記電力検出回路から出力される電圧が前記第１閾値電圧未満で前記第２閾値電圧以上の時に、前記第１スイッチ回路が前記第１接続端子に切り替えられ、
前記電力検出回路から出力される電圧が前記第１閾値電圧以上の時に、前記第１スイッチ回路が前記第２接続端子に切り替えられ、
前記電力検出回路から出力される電圧が前記第２閾値電圧未満の時に、前記第１スイッチ回路が第３接続端子に切り替えられることを特徴とする請求項４に記載の無線通信モジュール。
【請求項６】
アンテナと、アンテナ用第１接続端子、アンテナ用第２接続端子、及び前記アンテナに接続されたアンテナ用共通端子を有した第２スイッチ回路と、を備え、
前記アンテナ用第１接続端子及び前記アンテナ用第２接続端子が、それぞれ前記第１送信回路の出力端及び前記第２送信回路の出力端に接続されており、
前記アンテナ用第１接続端子及び前記アンテナ用第２接続端子がそれぞれ、前記第１スイッチ回路の前記第１接続端子及び前記第２接続端子に同期して切り替えられることを特徴とする請求項１乃至請求項５のいずれかに記載の無線通信モジュール。
【請求項７】
前記第１周波数バンドが２．４ＧＨｚ近辺の周波数バンドであり、前記第２周波数バンドが５ＧＨｚ近辺の周波数バンドであることを特徴とする請求項１乃至請求項６のいずれかに記載の無線通信モジュール。
【発明の詳細な説明】
【技術分野】
【０００１】
本発明は、無線通信モジュール、特に車載用無線通信機の一部として使用される無線通信モジュールに関する。
【背景技術】
【０００２】
車載用無線通信機は、車両に搭載された本体側通信モジュールと、概本体側通信モジュールに信号伝送用の高周波ケーブルで接続され、送受信用のアンテナが装備された無線通信モジュールとで構成されている。本発明に関連する車載用無線通信機は、例えば、無線ＬＡＮ通信機器（ＬＡＮ：Local Area Network）やブルートゥース（登録商標）機器等において、２．４ＧＨｚバンド等の数ＧＨｚ帯の信号を送受信するための通信機器である。
【０００３】
送受信用の車載用無線通信機の場合、アンテナ側にある無線通信モジュールには、送信回路と受信回路とが内蔵されていると共に、送信回路と受信回路とを切り替えるための切替スイッチが設けられている。従来、この切替スイッチのために、上述した信号伝送用の高周波ケーブル以外に制御用ケーブルが車両内に設けられていて、本体側通信モジュールからこの制御用ケーブルを介して制御信号が送られ、切替スイッチを制御していた。
【０００４】
しかし、アンテナ側の無線通信モジュールは、本体側通信モジュールから離れた場所に設置されるため、アンテナ側の無線通信モジュールと本体側通信モジュールとを結ぶケーブルは数ｍ以上の長さになり、製造コストを押し上げてしまう結果となっていた。そのため、制御用ケーブルを新たに設けずに切替スイッチを制御できることが望まれていた。
【０００５】
送信回路と受信回路との切り替えを、制御用ケーブルを新たに設けずに行えるようにした技術が、特許文献１に開示されている。特許文献１に開示された無線通信装置の構成を、図８に示す。
【０００６】
無線通信装置９００は、時分割多重復信方式の無線ＬＡＮモデム９０１（ＴＤＤモデム:Time Division Duplexモデム）により、送受信される通信信号を一定時間ごとに分割して送信と受信とを相互に行い、相手側無線通信装置との間で無線信号により中継伝送する装置である。無線通信装置９００は、送信回路である送信側周波数変換手段９２１及び受信回路である受信側周波数変換手段９２２が内蔵された周波数コンバータ９２０と、出力信号を無線送信する送信アンテナ９３１と、相手側からの無線信号を受信する受信アンテナ９３２と、無線ＬＡＮモデム９０１と、を備えている。無線通信装置９００は、更に、無線ＬＡＮモデム９０１と周波数コンバータ９２０との間に、送信信号分岐回路９１１と、送信信号検出器９１２と、経路切替スイッチ９１３とを備えている。
【０００７】
無線通信装置９００は、無線ＬＡＮモデム９０１に通じる信号経路における信号強度を送信信号検出器９１２で検出することにより，その無線ＬＡＮモデム９０１に通じる信号経路を経路切替スイッチ９１３によってＴＤＤ通信に同期させ、送信側の送信側周波数変換手段９２１又は、受信側の受信側周波数変換手段９２２のいずれかの経路に切り替える。
【０００８】
このような構成により，無線ＬＡＮモデム９０１が信号送信中であることを、その信号経路における信号強度により検出した場合、即ち、信号強度が予め定められた設定強度以上である場合に、経路切替スイッチ９１３を送信側（送信側周波数変換手段９２１）へ切り替える。そして、その他の場合に受信側（受信側周波数変換手段９２２）に切り替えることができる。その結果，無線ＬＡＮモデム９０１からＴＤＤ通信に同期した信号経路切り替え用の制御信号を送ることなく、ＴＤＤ通信の送信／受信の切り替えタイミングに同期した経路切り替えを行うことができるとしている。
【０００９】
無線通信装置９００では、送信時の送信信号電力が受信時の受信信号電力に比較して大きいことを利用することによって、ＴＤＤ通信の送信／受信の切り替えタイミングに同期した経路切り替えを行うことができる。
【００１０】
ところで近年、無線ＬＡＮ通信機器においては、取り扱う信号周波数帯として、２．４ＧＨｚバンドと５ＧＨｚバンドとを切り替えて使用することができる製品が採用され始めている。いわゆるデュアルバンド対応の無線ＬＡＮ通信機器が採用され始めている。
【００１１】
車載用無線通信機としても、２．４ＧＨｚバンドと５ＧＨｚバンドとを使用することができるデュアルバンド対応が望まれている。その場合、デュアルバンド対応車載用無線通信機のアンテナ側の無線通信モジュールは、送信回路のバンドを２．４ＧＨｚバンド又は５ＧＨｚバンドに切り替える必要がある。この場合においても、送信回路のバンドを２．４ＧＨｚバンド又は５ＧＨｚバンドに切り替えるために、本体側通信モジュールからバンド切替のための制御信号を送らずに切り替えることができることが望まれている。
【先行技術文献】
【特許文献】
【００１２】
【特許文献１】特開２００５−１９８０７７号公報
【発明の概要】
【発明が解決しようとする課題】
【００１３】
しかしながら、デュアルバンド対応の無線通信機器において、２．４ＧＨｚバンド叉は５ＧＨｚバンドにおける送信信号の信号電力は、その周波数によらず、ほぼ一定になるように管理される。従って、無線通信装置９００で採用されている構成をそのまま用いたのでは、信号電力の大きさに応じて、２．４ＧＨｚバンド叉は５ＧＨｚバンドを切り替えることは不可能である。
【００１４】
本発明は、このような従来技術の実情に鑑みてなされたもので、その目的は、本体側通信モジュールからバンド切替のための制御信号を送る必要がなく、異なる２つのバンドを簡単な構成で切り替えることができるデュアルバンド対応の無線通信モジュールを提供することにある。
【課題を解決するための手段】
【００１５】
この課題を解決するために、本発明の無線通信モジュールは、信号伝送用ケーブルによって本体側通信モジュールに接続される無線通信モジュールであって、前記信号伝送用ケーブルが接続され送信信号が入力される高周波端子と、前記高周波端子に入力端が接続される方向性結合回路と、前記方向性結合回路の信号伝送路の出力端に共通端子が接続されていると共に第１接続端子及び第２接続端子を有する第１スイッチ回路と、前記第１接続端子に接続された第１送信回路と、前記第２接続端子に接続された第２送信回路と、前記方向性結合回路のカップリング出力端に接続された電力検出回路と、を有し、前記第１送信回路は所定の第１周波数バンド内の信号を送信し、前記第２送信回路は前記第１周波数バンドとは異なる第２周波数バンド内の信号を送信するように構成されており、前記方向性結合回路の入力端における前記送信信号の電力の大きさが周波数によらず一定値とされていると共に、前記方向性結合回路の入力端と前記電力検出回路の入力端との間の経路における前記第１周波数バンドに対する電力減衰量と前記第２周波数バンドに対する電力減衰量とを異ならせ、前記電力検出回路で検出される電力の大きさによって前記第１スイッチ回路が前記第１接続端子又は前記第２接続端子に切り替えられる、という特徴を有する。
【００１６】
このように構成された無線通信モジュールは、方向性結合回路の入力端と電力検出回路の入力端との間の経路における電力減衰量を第１周波数バンドと第２周波数バンドとで異ならせ、電力検出回路で検出される電力の大きさによって第１スイッチ回路が第１送信回路側又は第２送信回路側に切り替わるように構成した。そのため、本体側通信モジュールからバンド切替のための制御信号を送る必要がなく、周波数の異なる２つのバンドを簡単な構成で切り替えることができる。
【００１７】
また、上記の構成において、本発明の無線通信モジュールは、前記電力検出回路が、前記検出される電力の大きさに相当する電圧を出力するように構成されていて、前記電力検出回路と前記第１スイッチ回路の制御信号入力端との間に電圧比較回路を設けると共に、前記電圧比較回路に所定の第１電力値に相当する第１閾値電圧を設定し、前記電力検出回路から出力される電圧が前記第１閾値電圧未満の時に、前記第１スイッチ回路が第１接続端子に切り替えられ、前記電力検出回路から出力される電圧が前記第１閾値電圧以上の時に、前記第１スイッチ回路が第２接続端子に切り替えられる、という特徴を有する。
【００１８】
このように構成された無線通信モジュールは、検出される電力の大きさに相当する電圧を出力するように構成された電力検出回路と、所定の第１電力値に相当する第１閾値電圧を設定した電圧比較回路とを用いて、第１スイッチ回路の切り替えを行うようにしたので、周波数の異なる２つのバンドを容易に切り替えることができる。
【００１９】
また、上記の構成において、本発明の無線通信モジュールは、前記方向性結合回路のカップリング出力端と前記電力検出回路の入力端との間にフィルタを接続し、前記フィルタの特性によって前記第１周波数バンドに対する電力減衰量と前記第２周波数バンドに対する電力減衰量とを異ならせた、という特徴を有する。
【００２０】
このように構成された無線通信モジュールは、第１周波数バンドに対する電力減衰量と第２周波数バンドに対する電力減衰量とを異ならせさせるためにフィルタの特性を利用したので、電力減衰量を異ならせるための構成を容易に実現させることができ、コストアップを小さく抑えることができる。
【００２１】
また、上記の構成において、本発明の無線通信モジュールは、前記第１周波数バンド内の信号を受信する第１受信回路と、前記第２周波数バンド内の信号を受信する第２受信回路と、２つの入力端を有する結合器と、を有し、前記第１受信回路の出力端と前記第２受信回路の出力端とが、前記結合器の２つの入力端それぞれに接続されていて、前記第１スイッチ回路が第３接続端子を有していると共に、前記第３接続端子が前記結合器の出力端に接続されていて、前記電力検出回路で検出される電力の大きさによって、前記第１スイッチ回路が、前記第１接続端子又は前記第２接続端子又は前記第３接続端子に切り替えられる、という特徴を有する。
【００２２】
このように構成された無線通信モジュールは、第１受信回路及び第２受信回路を設けた場合においても、電力検出回路で検出される電力の大きさによって第１スイッチ回路を第１送信回路側又は第２送信回路側に切り替えるように構成すると共に、送信と受信との切り替えも電力検出回路で検出される電力の大きさによって行うようにしたので、それらの切り替えを第１スイッチ回路のみで行うことができる。
【００２３】
また、上記の構成において、本発明の無線通信モジュールは、前記電力検出回路が、検出される電力の大きさに相当する電圧を出力するように構成されていて、前記電力検出回路と前記第１スイッチ回路の制御信号入力端との間に電圧比較回路を設け、前記電圧比較回路に所定の第１電力値に相当する第１閾値電圧、及び、前記第１電力値よりも電力値の小さな所定の第２電力値に相当する第２閾値電圧を設定し、前記電力検出回路から出力される電圧が前記第１閾値電圧未満で前記第２閾値電圧以上の時に、前記第１スイッチ回路が前記第１接続端子に切り替えられ、前記電力検出回路から出力される電圧が前記第１閾値電圧以上の時に、前記第１スイッチ回路が前記第２接続端子に切り替えられ、前記電力検出回路から出力される電圧が前記第２閾値電圧未満の時に、前記第１スイッチ回路が第３接続端子に切り替えられる、という特徴を有する。
【００２４】
このように構成された無線通信モジュールは、第１閾値電圧及び第２閾値電圧の２つの閾値電圧を用いて第１スイッチ回路の切り替えを行うようにしたので、送信時における周波数の異なる２つのバンドの切り替え及び送信と受信との切り替えを容易に行うことができる。
【００２５】
また、上記の構成において、本発明の無線通信モジュールは、アンテナと、アンテナ用第１接続端子、アンテナ用第２接続端子、及び前記アンテナに接続されたアンテナ用共通端子を有した第２スイッチ回路と、を備え、前記アンテナ用第１接続端子及び前記アンテナ用第２接続端子が、それぞれ前記第１送信回路の出力端及び前記第２送信回路の出力端に接続されており、前記アンテナ用第１接続端子及び前記アンテナ用第２接続端子がそれぞれ、前記第１スイッチ回路の前記第１接続端子及び前記第２接続端子に同期して切り替えられる、という特徴を有する。
【００２６】
このように構成された無線通信モジュールは、第２スイッチ回路のアンテナ用第１接続端子及びアンテナ用第２接続端子を、第１スイッチ回路の第１接続端子及び第２接続端子に同期して切り替えるように構成したので、第１送信回路と第２送信回路とを、その入力端及び出力端において確実に切り替えることができる。
【００２７】
また、上記の構成において、本発明の無線通信モジュールは、前記第１周波数バンドが２．４ＧＨｚ近辺の周波数バンドであり、前記第２周波数バンドが５ＧＨｚ近辺の周波数バンドである、という特徴を有する。
【００２８】
このように構成された無線通信モジュールは、第１周波数バンドが２．４ＧＨｚ近辺の周波数バンドであり、第２周波数バンドが５ＧＨｚ近辺の周波数バンドであるので、無線ＬＡＮ通信機器に適用することが可能となる。
【発明の効果】
【００２９】
本発明の無線通信モジュールは、方向性結合回路の入力端と電力検出回路の入力端との間の経路における電力減衰量を第１周波数バンドと第２周波数バンドとで異ならせ、電力検出回路で検出される電力の大きさによって第１スイッチ回路が第１送信回路側又は第２送信回路側に切り替わるように構成した。そのため、本体側通信モジュールからバンド切替のための制御信号を送る必要がなく、周波数の異なる２つのバンドを簡単な構成で切り替えることができる。
【図面の簡単な説明】
【００３０】
【図１】第１実施形態に係る無線通信モジュールの構成を示すブロック図である。
【図２】方向性結合回路のカップリング経路における周波数特性図である。
【図３】第１実施形態の変形例の構成を示すブロック図である。
【図４】変形例の方向性結合回路のカップリング経路における周波数特性図である。
【図５】変形例で使用されるフィルタの周波数特性図である。
【図６】第２実施形態に係る無線通信モジュールの構成を示すブロック図である。
【図７】方向性結合回路のカップリング経路における周波数特性図である。
【図８】従来例に係る無線通信装置のブロック図である。
【発明を実施するための形態】
【００３１】
以下、本発明の無線通信モジュールについて、図面を参照しながら説明する。
【００３２】
［第１実施形態］
最初に、本発明の第１実施形態に係る無線通信モジュール１００について、図１及び図２を用いて説明する。
【００３３】
図１は、無線通信モジュール１００の構成を示すブロック図であり、図２は、無線通信モジュール１００に使用される方向性結合回路４の周波数特性図である。
【００３４】
図１に示すように、車載用の無線通信機１５０は、車両のコンソールボックス内等に搭載される本体側通信モジュール４０と、無線通信モジュール１００と、本体側通信モジュール４０と無線通信モジュール１００とを接続する信号伝送用ケーブル５０とを有して、構成されている。車載用の無線通信機１５０は、２．４ＧＨｚバンド内及び５ＧＨｚバンド内の信号の送受信を行う、デュアルバンド対応の無線ＬＡＮ通信機器であり、無線通信モジュール１００は、車載用の無線通信機１５０の一部として構成されている。無線通信モジュール１００は、車両のルーフ上やサイドミラー等の、本体側通信モジュール４０から離れた位置に設置される。尚、無線通信機１５０における受信は、図示しない他の通信モジュール内の受信回路によって行われるものとする。また、送信機能のみの無線通信機であれば、その構成は図１に示す構成だけであっても良い。
【００３５】
図１に示すように、無線通信モジュール１００は、第１送信回路１と、第２送信回路２と、第１スイッチ回路３と、方向性結合回路４と、電力検出回路５と、電圧比較回路６と、第２スイッチ回路７と、アンテナ８と、高周波端子９と、電源電圧レギュレータ９０とで構成されている。
【００３６】
電源電圧レギュレータ９０は、インダクタ９１を介して高周波端子９に接続されている。本体側通信モジュール４０から供給される電源電圧は、送信信号と共に信号伝送用ケーブル５０の芯線を通して無線通信モジュール１００に供給される。高周波端子９との間にインダクタ９１を介することにより高周波信号である送信信号が電源電圧レギュレータ９０に入力されることを防止している。電源電圧レギュレータ９０は、本体側通信モジュール４０から供給される電源電圧を所定の電圧値に安定化し、無線通信モジュール１００内の各回路に供給する。
【００３７】
方向性結合回路４の入力端は高周波端子９に接続され、本体側通信モジュール４０からの送信信号が入力される。ここで、方向性結合回路４の入力端における送信信号の電力の大きさは、その周波数によらず一定値とされている。方向性結合回路４は、伝送すべき信号を信号伝送路４ａで伝送させると共に、カップリング経路４ｂで結合させることによって、信号を所定の電力減衰量で減衰させた後、カップリング出力端４ｃから取り出すことができる。従って、カップリング出力端４ｃから取り出した送信信号の電力を測定することによって、方向性結合回路４に入力される送信信号の電力の大きさを知ることができる。方向性結合回路４のカップリング出力端４ｃには電力検出回路５が接続されていて、送信信号の電力を測定することができる。
【００３８】
尚、送信回路を搭載した本発明の無線通信モジュール１００を説明するため、ここでは、方向性結合回路４の高周波端子９側の端部を入力端とし、方向性結合回路４の信号伝送路４ａの第１スイッチ回路３側の端部を出力端としたが、後に説明するような受信回路が送信回路と同一のモジュール内にある場合についても、同一の表記とする。尚、無線通信モジュール１００の方向性結合回路４の入力端からカップリング出力端４ｃまでの経路における電力減衰量の特性と、方向性結合回路４の信号伝送路４ａの出力端からカップリング出力端３４ｃまでの経路における電力減衰量の特性とは、同一である。また、これは、無線通信モジュール１００だけでなく、後に説明する無線通信モジュール２００及び無線通信モジュール３００においても同様である。
【００３９】
第１スイッチ回路３は、共通端子３ａと第１接続端子３ｂと第２接続端子３ｃとを有している。また、第２スイッチ回路７は、アンテナ用共通端子７ａとアンテナ用第１接続端子７ｂとアンテナ用第２接続端子７ｃとを有している。第１スイッチ回路３の共通端子３ａは、方向性結合回路４の信号伝送路４ａの出力端に接続されている。共通端子３ａと信号伝送路４ａとの間には、キャパシタ９２が接続されており、高周波端子９に入力される本体側通信モジュール４０からの電源電圧が第１スイッチ回路３の共通端子３ａに印加されることを防止している。そして、第１スイッチ回路３の第１接続端子３ｂには、第１送信回路１の入力端が接続されていて、第１スイッチ回路３の第２接続端子３ｃには、第２送信回路２の入力端が接続されている。また、無線通信モジュール１００にはアンテナ８が設けられていて、アンテナ８には第２スイッチ回路７のアンテナ用共通端子７ａが接続されている。そして、第２スイッチ回路７のアンテナ用第１接続端子７ｂ及びアンテナ用第２接続端子７ｃが、それぞれ第１送信回路１の出力端及び第２送信回路２の出力端に接続されている。尚、アンテナ８は、無線通信モジュール１００では送信用アンテナとして動作する。
【００４０】
第１送信回路１は、所定の第１周波数バンド内の信号を送信し、第２送信回路２は第１周波数バンドとは異なる所定の第２周波数バンド内の信号を送信するように構成されている。尚、無線通信モジュール１００では、第１周波数バンドは、２．４ＧＨｚ近辺の周波数バンドであり、第２周波数バンドは、５ＧＨｚ近辺の周波数バンドである。第１送信回路１では、第１送信回路１の入力端と出力端との間に、第１パワーアンプ１ａと第１ローパスフィルタ１ｂとが直列に接続されている。そして、第２送信回路２においても、第２送信回路２の入力端と出力端との間に、第２パワーアンプ２ａと第２ローパスフィルタ２ｂとが直列に接続されている。
【００４１】
第１パワーアンプ１ａ及び第２パワーアンプ２ａはそれぞれ、入力される送信信号を所定の送信電力にまで増幅して出力する。また、第１ローパスフィルタ１ｂ及び第２ローパスフィルタ２ｂは、出力する送信信号の内の不要な信号、例えば高調波を抑制するために設けられている。尚、第１ローパスフィルタ１ｂ及び第２ローパスフィルタ２ｂは、それぞれバンドパスフィルタであっても良い。
【００４２】
カップリング出力端４ｃに接続されている電力検出回路５の出力端には、電圧比較回路６の入力端が接続されている。また、電圧比較回路６の制御信号出力端と第１スイッチ回路３の制御信号入力端、及び電圧比較回路６の制御信号出力端と第２スイッチ回路７の制御信号入力端とがそれぞれ接続されている。電力検出回路５は、検出される電力の大きさに相当する電圧を出力するように構成されていて、電圧比較回路６では、入力される電力検出回路５からの出力電圧と、閾値とする所定の電圧値とを比較し、その結果によって制御信号を出力する。従って、本体側通信モジュール４０から第１スイッチ回路３を切り替えるための制御信号を伝送させる必要がない。言い換えれば、その切り替えのためのケーブルを、本体側通信モジュール４０と第１スイッチ回路３の制御信号入力端との間に新たに追加する必要がない。
【００４３】
第１スイッチ回路３の制御信号入力端と第２スイッチ回路７の制御信号入力端とには、同一の制御信号が同時に入力される。従って、第２スイッチ回路７のアンテナ用第１接続端子７ｂ及びアンテナ用第２接続端子７ｃは、第１スイッチ回路３の第１接続端子３ｂ及び第２接続端子３ｃに同期して切り替えられる。
【００４４】
前述したように、方向性結合回路４は、伝送すべき信号を信号伝送路４ａで伝送させ、カップリング経路４ｂで結合させることによって、信号を所定の電力減衰量で減衰させた後、カップリング出力端４ｃから取り出すことができる。通常、方向性結合回路４の入力端又は出力端からカップリング出力端４ｃまでの経路における電力減衰量は、周波数によらず一定である。しかし、無線通信モジュール１００では、方向性結合回路４の入力端と電力検出回路５の入力端との間の経路における第１周波数バンドに対する電力減衰量と第２周波数バンドに対する電力減衰量とを異ならせた。即ち、２．４ＧＨｚ近辺の電力減衰量と５ＧＨｚ近辺の電力減衰量とが異なった方向性結合回路４を用いるようにした。
【００４５】
図２に、無線通信モジュール１００に使用される方向性結合回路４の入力端又は出力端からカップリング出力端４ｃまでの経路における電力減衰量の周波数特性を示す。方向性結合回路４では、第２周波数帯域即ち５ＧＨｚ近辺の電力減衰量がＡ（ｄＢ）あることがわかる。また、入力端又は出力端からカップリング出力端４ｃまでの経路における第１周波数帯域即ち２．４ＧＨｚ近辺の電力減衰量が、５ＧＨｚ近辺の電力減衰量に対してＢ（ｄＢ）だけ大きくなるように設定されている。前述したように、方向性結合回路４の入力端における送信信号の電力の大きさは、その周波数によらず一定値とされている。そのため、カップリング出力端４ｃにおける送信信号の電力の大きさには、２．４ＧＨｚの送信信号と５ＧＨｚの送信信号とで、Ｂ（ｄＢ）だけの差が生じることになる。従って、カップリング出力端４ｃにおける送信信号の電力の大きさを測定することによって、方向性結合回路４の入力端に入力された送信信号の周波数が、２．４ＧＨｚであるか、５ＧＨｚであるかを判定することができる。
【００４６】
前述したように、電力検出回路５は、検出される電力の大きさに相当する電圧を出力するように構成されていて、電圧比較回路６では、入力される電力検出回路５からの出力電圧と閾値である所定の電圧値とを比較し、その結果によって制御信号を出力する。ここでは、電圧比較回路６に所定の第１電力値Ｐ１（ｄＢｍ）に相当する第１閾値電圧Ｖ１を設定した。その結果、電力検出回路５から出力される電圧がこの第１閾値電圧Ｖ１未満の時に、第１スイッチ回路３が第１接続端子３ｂ、即ち第１送信回路１の側に切り替えられ、電力検出回路５から出力される電圧が第１閾値電圧Ｖ１以上の時に、第１スイッチ回路が第２接続端子３ｃ、即ち第２送信回路の側に切り替えられることになる。
【００４７】
具体的には、方向性結合回路４の入力端における送信信号の電力の大きさ（送信信号の周波数によらず一定）をＰ０（ｄＢｍ）とし、また、前述したように、方向性結合回路４での５ＧＨｚ近辺の電力減衰量がＡ（ｄＢ）とし、２．４ＧＨｚ近辺の電力減衰量を、５ＧＨｚ近辺の電力減衰量に対してＢ（ｄＢ）だけ大きくなるように設定している。そこで、電圧比較回路６に設定する所定の第１電力値Ｐ１（ｄＢｍ）を、５ＧＨｚにおける電力値と２．４ＧＨｚにおける電力値の中間の電力値である（Ｐ０−Ａ−Ｂ／２）に設定することとする。即ち、Ｐ１＝Ｐ０−Ａ−Ｂ／２とする。従って、第１閾値電圧Ｖ１を、第１電力値Ｐ１＝（Ｐ０−Ａ−Ｂ／２）に相当する電圧に設定すれば良い。このように設定することにより、例えばＢの値を１０（ｄＢ）と設定すれば、送信信号の周波数が２．４ＧＨｚであるか５ＧＨｚであるかを、容易に判定することができる。
【００４８】
次に、第１実施形態の変形例について、図３乃至図５を用いて説明する。図３は、第１実施形態の変形例の無線通信モジュール２００の構成を示すブロック図であり、図４は、変形例の無線通信モジュール２００に使用される方向性結合回路１４のカップリング経路１４ｂにおける周波数特性図である。また、図５は、変形例の無線通信モジュール２００に使用されるフィルタ１０の周波数特性図である。尚、無線通信モジュール２００の無線通信モジュール１００に対する相違点は、無線通信モジュール１００の方向性結合回路４が無線通信モジュール２００では方向性結合回路１４に変更され、フィルタ１０が追加されただけであり、その他の構成については同一である。そのため、その他の構成についての説明は省略する。
【００４９】
図３に示す方向性結合回路１４のカップリング経路１４ｂにおける周波数特性は、図４に示すように、周波数によらずフラットである。従って、２．４ＧＨｚと５ＧＨｚにおける電力減衰量に差はない。無線通信モジュール２００では、方向性結合回路１４のカップリング出力端１４ｃと電力検出回路５の入力端との間にフィルタ１０を接続した。ここで、フィルタ１０は、例えば、図５に示すように、５ＧＨｚ近辺を通過域とし、２．４ＧＨｚ近辺を減衰域とするハイパスフィルタである。フィルタ１０では、５ＧＨｚにおいてＣ（ｄＢ）の挿入損失があり、２．４ＧＨｚにおいては、通過域に対しＤ（ｄＢ）の減衰がある。尚、フィルタ１０は、ハイパスフィルタでなく、バンドパスフィルタであっても良い。
【００５０】
前述したように、方向性結合回路１４の入力端における送信信号の電力の大きさは、その周波数によらず一定値とされている。そのため、電力検出回路５の入力端における送信信号の電力の大きさには、２．４ＧＨｚの送信信号と５ＧＨｚの送信信号とで、Ｄ（ｄＢ）だけの差が生じることになる。従って、電力検出回路５の入力端における送信信号の電力の大きさを測定することによって、方向性結合回路４の入力端に入力された送信信号の周波数が、２．４ＧＨｚであるか、５ＧＨｚであるかが分かる。
【００５１】
前述したように、電力検出回路５は、検出される電力の大きさに相当する電圧を出力するように構成されていて、電圧比較回路６では、入力される電力検出回路５からの出力電圧と閾値である所定の電圧値とを比較し、その結果によって制御信号を出力する。ここでは、電圧比較回路６に所定の第１電力値Ｐ１‘（ｄＢｍ）に相当する第１閾値電圧Ｖ１’を設定した。その結果、電力検出回路５から出力される電圧がこの第１閾値電圧Ｖ１‘未満の時に、第１スイッチ回路３が第１接続端子３ｂ即ち第１送信回路１の側に切り替えられ、電力検出回路５から出力される電圧が第１閾値電圧Ｖ１’以上の時に、第１スイッチ回路が第２接続端子３ｃ即ち第２送信回路の側に切り替えられることとなる。
【００５２】
具体的には、方向性結合回路４の入力端における送信信号の電力の大きさ（送信信号の周波数によらず一定）をＰ０（ｄＢｍ）（一定）としている。また、前述したように、方向性結合回路４での５ＧＨｚ近辺及び２．４ＧＨｚ近辺の電力減衰量がＡ（ｄＢ）であり、フィルタ１０の挿入損失がＣ（ｄＢ）であり、２．４ＧＨｚ近辺の電力減衰量が、５ＧＨｚ近辺の電力減衰量に対して更にＤ（ｄＢ）だけ加わっている。そこで、電圧比較回路６に設定する所定の第１電力値Ｐ１‘（ｄＢｍ）を、例えば、５ＧＨｚにおける電力値と２．４ＧＨｚにおける電力値の中間の電力値である、（Ｐ０−Ａ−Ｃ−Ｄ／２）に設定することとする。即ち、Ｐ１＝Ｐ０−Ａ−Ｃ−Ｄ／２とする。従って、第１閾値電圧Ｖ１を、第１電力値Ｐ１＝（Ｐ０−Ａ−Ｃ−Ｄ／２）に相当する電圧に設定すれば良い。
【００５３】
以上述べたように、本発明の無線通信モジュール１００は、方向性結合回路４の入力端と電力検出回路５の入力端との間の経路における電力減衰量を第１周波数バンドと第２周波数バンドとで異ならせ、電力検出回路５で検出される電力の大きさによって第１スイッチ回路３が第１送信回路１側又は第２送信回路２側に切り替わるように構成した。そのため、本体側通信モジュール４０からバンド切替のための制御信号を送る必要がなく、周波数の異なる２つのバンドを簡単な構成で切り替えることができる。言い換えれば、切り替えのためのケーブルを新たに追加する必要がない。
【００５４】
また、検出される電力の大きさに相当する電圧を出力するように構成された電力検出回路５と、所定の第１電力値Ｐ１に相当する第１閾値電圧Ｖ１を設定した電圧比較回路６とを用いて、第１スイッチ回路３の切り替えを行うようにしたので、異なる２つのバンドを容易に切り替えることができる。
【００５５】
また、無線通信モジュール１００は、第１周波数バンドが、２．４ＧＨｚ近辺の周波数バンドであり、第２周波数バンドが、５ＧＨｚ近辺の周波数バンドであるので、無線ＬＡＮ通信機器に適用することができる。
【００５６】
また、本発明の無線通信モジュール２００は、第１周波数バンドに対する電力減衰量と第２周波数バンドに対する電力減衰量とを異ならせさせるためにフィルタ１０の特性を利用したので、電力減衰量を異ならせるための構成を容易に実現することができ、コストアップを小さく抑えることができる。
【００５７】
［第２実施形態］
次に、第２実施形態の無線通信モジュール３００について、図６及び図７を用いて説明する。図６は、第２実施形態に係る無線通信モジュール３００の構成を示すブロック図であり、図７は、方向性結合回路３４のカップリング経路３４ｂにおける周波数特性図である。尚、無線通信モジュール３００の無線通信モジュール１００に対する大きな相違点は、受信回路に関係する部分だけであり、その他の構成については同様であるため、その他の構成についての詳細な説明を省略することがある。
【００５８】
図６に示すように、車載用の無線通信機３５０は、車両のコンソールボックス内等に搭載される本体側通信モジュール３４０と、無線通信モジュール３００と、本体側通信モジュール３４０と無線通信モジュール３００とを接続する信号伝送用ケーブル５０で構成されている。車載用の無線通信機３５０は、２．４ＧＨｚバンド内及び５ＧＨｚバンド内の信号の送受信を行う、デュアルバンド対応の無線ＬＡＮ通信機器であり、無線通信モジュール３００は、車載用の無線通信機３５０の一部として構成されている。
【００５９】
図６に示すように、無線通信モジュール３００は、２つの送信回路及び２つの受信回路を含む送受信側のブロックと、高周波端子３９と、電源電圧レギュレータ９０と、で構成されている。そして、送受信側のブロックは、第１送信回路３１と、第２送信回路３２と、第１スイッチ回路３３と、方向性結合回路３４と、電力検出回路３５と、電圧比較回路３６と、第２スイッチ回路３７と、アンテナ３８と、第１受信回路２１と、第２受信回路２２と、結合器２３と、分配器２４とで構成されている。高周波端子３９と電源電圧レギュレータ９０とインダクタ９１とキャパシタ９２のそれぞれの構成は無線通信モジュール１００と同様である。
【００６０】
図６に示すように、方向性結合回路３４の入力端は、高周波端子３９に接続されていて、本体側通信モジュール４０からの送信信号が入力される。ここで、方向性結合回路４の入力端における送信信号の電力の大きさは、その周波数によらず一定値とされている。
【００６１】
第１スイッチ回路３３は、共通端子３３ａと第１接続端子３３ｂと第２接続端子３３ｃと第３接続端子３３ｄとを有している。また、第２スイッチ回路３７も、アンテナ用共通端子３７ａとアンテナ用第１接続端子３７ｂとアンテナ用第２接続端子３７ｃとアンテナ用第３接続端子３７ｄとを有している。第１スイッチ回路３３の共通端子３３ａは、方向性結合回路３４の信号伝送路３４ａの出力端に接続されている。そして、第１スイッチ回路３３の第１接続端子３３ｂには、第１送信回路３１の入力端が接続されていて、第１スイッチ回路３３の第２接続端子３３ｃには、第２送信回路２の入力端が接続されている。また、第２スイッチ回路３７のアンテナ用第１接続端子３７ｂには、第１送信回路３１の出力端が接続されていて、アンテナ用第２接続端子３７ｃには、第２送信回路３２の出力端が接続されている。
【００６２】
無線通信モジュール１００の場合と同様に、第１送信回路３１は所定の第１周波数バンド内の信号を送信し、第２送信回路２は第１周波数バンドとは異なる所定の第２周波数バンド内の信号を送信するように構成されている。また、第２スイッチ回路３７のアンテナ用共通端子７ａには、アンテナ３８が接続されている。尚、アンテナ３８は、送受信アンテナとして動作する。
【００６３】
第１受信回路２１は第１送信回路３１で送信するのと同じ所定の第１周波数バンド内の信号を受信し、第２受信回路２２は第２送信回路３２で送信するのと同じ第２周波数バンド内の信号を受信するように構成されている。第１受信回路２１では、その入力端と出力端との間に、第１ローノイズアンプ２１ａと第１バンドパスフィルタ２１ｂとが直列に接続されている。そして、第２受信回路２２においても、その入力端と出力端との間に、第２ローノイズアンプ２２ａと第２バンドパスフィルタ２２ｂとが直列に接続されている。
【００６４】
第１ローノイズアンプ２１ａ及び第２ローノイズアンプ２２ａはそれぞれ、入力される受信信号を所定のレベルにまで増幅して出力する。また、第１バンドパスフィルタ２１ｂ及び第２バンドパスフィルタ２２ｂは、入力する受信信号の内の不要な信号を抑制するために設けられている。
【００６５】
分配器２４は、アンテナ３８で受信した信号を、第１受信回路２１及び第２受信回路２２に分配するために設けられている。また、結合器２３は、第１受信回路２１及び第２受信回路２２でフィルタリングされ、増幅された信号を第１スイッチ回路に出力するために設けられている。第１受信回路２１及び第２受信回路２２それぞれの入力端は、分配器２４の２つの出力端子に接続されており、第１受信回路２１及び第２受信回路２２それぞれの出力端は、結合器２３の２つの入力端子に接続されている。また、第１スイッチ回路３３の第３接続端子３３ｄには、結合器２３の出力端が接続されていて、第２スイッチ回路３７のアンテナ用第３接続端子３７ｄには、分配器２４の入力端が接続されている。
【００６６】
方向性結合回路３４の入力端は、高周波端子３９に接続されていて、本体側通信モジュール４０からの送信信号が入力される。方向性結合回路３４は、伝送すべき信号を信号伝送路３４ａで伝送させると共に、カップリング経路３４ｂで結合させることによって、信号を所定の電力減衰量で減衰させた後、カップリング出力端３４ｃから取り出すことができる。従って、カップリング出力端３４ｃから取り出した送信信号の電力を測定することによって、方向性結合回路３４に入力される送信信号の電力の大きさを知ることができる。カップリング出力端３４ｃには電力検出回路３５が接続されていて、電力検出回路３５によって送信信号の電力を測定することができる。
【００６７】
図７に示す、無線通信モジュール３００に使用される方向性結合回路３４の入力端又は出力端からカップリング出力端３４ｃまでの経路における電力減衰量の周波数特性は、無線通信モジュール１００の場合の図２に示した方向性結合回路４の周波数特性と同一である。方向性結合回路３４では、５ＧＨｚ近辺の電力減衰量がＡ（ｄＢ）あることがわかる。また、方向性結合回路３４では、入力端又は出力端からカップリング出力端４ｃまでの経路における２．４ＧＨｚ近辺の電力減衰量を、５ＧＨｚ近辺の電力減衰量に対してＢ（ｄＢ）だけ大きく設定している。前述したように、方向性結合回路３４の入力端における送信信号の電力の大きさは、その周波数によらず一定値とされている。そのため、カップリング出力端３４ｃにおける送信信号の電力の大きさには、２．４ＧＨｚの送信信号と５ＧＨｚの送信信号とで、Ｂ（ｄＢ）だけの差が生じることになる。従って、無線通信モジュール１００と同様に、カップリング出力端３４ｃにおける送信信号の電力の大きさを測定することによって、方向性結合回路３４の入力端に入力された送信信号の周波数が、２．４ＧＨｚであるか、５ＧＨｚであるかがわかる。
【００６８】
ところで、方向性結合回路３４の入力端は、受信信号にとっては出力端となり、方向性結合回路３４の信号伝送路３４ａの出力端は、受信信号にとっては入力端となる。そして、電力検出回路３５によって送信信号の電力を測定することができるのと同様に、電力検出回路３５によって受信信号の電力を測定することができる。一般的に、送信信号の送信電力と受信信号の受信電力との差は極めて大きく、通常、送信信号の電力は＋１５〜＋２０（ｄＢｍ）であり、受信信号の電力は−６０〜−３０（ｄＢｍ）である。従って、その差は、少なくとも４５（ｄＢ）以上である。従って、電力検出回路３５によって測定された信号の電力を測定することによって、その信号が送信信号であるか、受信信号であるかを明確に判定することができる。
【００６９】
図６に示すように、電力検出回路３５の出力端には、電圧比較回路３６の入力端が接続されている。また、電圧比較回路３６の制御信号出力端と第１スイッチ回路３３の制御信号入力端、及び電圧比較回路３６の制御信号出力端と第２スイッチ回路３７の制御信号入力端とがそれぞれ接続されている。電力検出回路３５は、検出される電力の大きさに相当する電圧を出力するように構成されていて、電圧比較回路３６では、入力される電力検出回路３５からの出力電圧と閾値である所定の電圧値とを比較し、その結果によって制御信号を出力する。第１スイッチ回路３３の制御信号入力端と第２スイッチ回路３７の制御信号入力端とには、同一の制御信号が同時に入力される。従って、第２スイッチ回路３７のアンテナ用第１接続端子３７ｂ、アンテナ用第２接続端子３７ｃ及びアンテナ用第３接続端子３７ｄは、第１スイッチ回路３３の第１接続端子３３ｂ、第２接続端子３３ｃ及び第３接続端子３３ｄにそれぞれ同期して切り替えられる。
【００７０】
電力検出回路３５は、電力検出回路５と同様に、検出される電力の大きさに相当する電圧を出力するように構成されていて、電圧比較回路３６では、入力される電力検出回路３５からの出力電圧と閾値である所定の電圧値とを比較し、その結果によって制御信号を出力する。ここでは、電圧比較回路３６に、所定の第１電力値Ｐ１（ｄＢｍ）に相当する第１閾値電圧Ｖ１を設定する。また、この第１電力値Ｐ１（ｄＢｍ）よりも電力値の小さな所定の第２電力値Ｐ２（ｄＢｍ）に相当する第２閾値電圧Ｖ２を設定する。第１閾値電圧Ｖ１は、送信信号が第１周波数バンド内の信号なのか、第２周波数バンド内の信号なのかを判定するための電圧であり、第２閾値電圧Ｖ２は、測定した信号が送信信号なのか、受信信号なのかを判定するための電圧である。
【００７１】
電力検出回路３５から出力される電圧が第１閾値電圧Ｖ１未満で第２閾値電圧Ｖ２以上の時に、第１スイッチ回路３３が第１接続端子３３ｂに切り替えられて、送信信号を選択すると共に、第１周波数バンド内の信号を選択する。また、電力検出回路３５から出力される電圧が第１閾値電圧Ｖ１以上の時に、第１スイッチ回路３３が第２接続端子３３ｃに切り替えられて、送信信号を選択すると共に、第２周波数バンド内の信号を選択する。更に、電力検出回路３５から出力される電圧が第２閾値電圧Ｖ２未満の時に、第１スイッチ回路３３が第３接続端子３３ｄに切り替えられ、受信信号を選択する。また、第２スイッチ回路３７は、第１スイッチ回路３３に同期して切り替えられる。尚、送信も受信も行われていない場合には、電力検出回路３５から出力される電圧は当然、第２閾値電圧Ｖ２未満となる。そのため、送信も受信も行われていない場合には、受信時と同様に、第１スイッチ回路３３は第３接続端子３３ｄに切り替えられ、第２スイッチ回路３７はアンテナ用第３接続端子３７ｄに切り替えられる。
【００７２】
具体的には、方向性結合回路３４の入力端における送信信号の電力の大きさ（送信信号の周波数によらず一定）をＰ０（ｄＢｍ）（一定）とする。また、前述したように、方向性結合回路４での５ＧＨｚ近辺の電力減衰量がＡ（ｄＢ）であり、２．４ＧＨｚ近辺の電力減衰量を、５ＧＨｚ近辺の電力減衰量に対してＢ（ｄＢ）だけ大きく設定している。そこで、電圧比較回路６に設定する所定の第１電力値Ｐ１（ｄＢｍ）を、５ＧＨｚにおける電力値と２．４ＧＨｚにおける電力値の中間の電力値である、（Ｐ０−Ａ−Ｂ／２）に設定することとする。即ち、Ｐ１＝Ｐ０−Ａ−Ｂ／２とする。従って、第１閾値電圧Ｖ１を、第１電力値Ｐ１＝（Ｐ０−Ａ−Ｂ／２）に相当する電圧に設定すれば良い。また、第２電力値Ｐ２は、例えば、Ｂを１０（ｄＢ）に設定した場合、受信信号の電力値が第１電力値Ｐ１に対し、少なくとも４０（ｄＢ）以下となっているはずである。従って、第２閾値電圧Ｖ２としては、第１電力値Ｐ１＝（Ｐ０−Ａ−Ｂ／２）に対して、例えば１０（ｄＢ）だけ小さい電力に相当する電圧に設定すれば良い。
【００７３】
このように、無線通信モジュール３００は、第１受信回路２１及び第２受信回路２２を設けた場合においても、、電力検出回路３５で検出される電力の大きさによって第１スイッチ回路３３を第１送信回路３１側又は第２送信回路３２側に切り替えるように構成した。それと共に、送信と受信との切り替えも電力検出回路３５で検出される電力の大きさによって行うようにしたので、それらの切り替えを第１スイッチ回路のみで行うことができる。
【００７４】
また、無線通信モジュール３００は、第１閾値電圧Ｖ１及び第２閾値電圧Ｖ２の２つの閾値電圧を用いて第１スイッチ回路３３の切り替えを行うようにしたので、送信時における周波数の異なる２つのバンドの切り替えと、送信と受信との切り替えとを容易に行うことができる。  
【００７５】
以上説明したように、本発明の無線通信モジュールは、方向性結合回路の入力端と電力検出回路の入力端との間の経路における電力減衰量を第１周波数バンドと第２周波数バンドとで異ならせ、電力検出回路で検出される電力の大きさによって第１スイッチ回路が第１送信回路側又は第２送信回路側に切り替わるように構成した。そのため、本体側通信モジュールからバンド切替のための制御信号を送る必要がなく、周波数の異なる２つのバンドを簡単な構成で切り替えることができる。
【００７６】
本発明は上記の実施形態の記載に限定されず、その効果が発揮される態様で適宜変更して実施することができる。例えば、無線通信モジュール１００、無線通信モジュール２００、及び無線通信モジュール３００においては、２．４ＧＨｚにおける電力減衰量を、５ＧＨｚにおける電力減衰量より大きくなるように設定したが、その逆になるように設定し、それに伴って各構成要件の仕様を変更するようにしても良い。
【符号の説明】
【００７７】
１        第１送信回路
２        第２送信回路
３        第１スイッチ回路
３ａ      共通端子
３ｂ      第１接続端子
３ｃ      第２接続端子
４        方向性結合回路
４ａ      信号伝送路
４ｂ      カップリング経路
４ｃ      カップリング出力端
５        電力検出回路
６        電圧比較回路
７        第２スイッチ回路
７ａ      アンテナ用共通端子
７ｂ      アンテナ用第１接続端子
７ｃ      アンテナ用第２接続端子
８        アンテナ
９        高周波端子
１０      フィルタ
１４      方向性結合回路
１４ａ    信号伝送路
１４ｂ    カップリング経路
１４ｃ    カップリング出力端
２１      第１受信回路
２１ａ    第１ローノイズアンプ
２１ｂ    第１バンドパスフィルタ
２２      第２受信回路
２２ａ    第２ローノイズアンプ
２２ｂ    第２バンドパスフィルタ
２３      結合器
２４      分配器
３１      第１送信回路
３１ａ    第１パワーアンプ
３１ｂ    第１ローパスフィルタ
３２      第２送信回路
３２ａ    第２パワーアンプ
３２ｂ    第２ローパスフィルタ
３３      第１スイッチ回路
３３ａ    共通端子
３３ｂ    第１接続端子
３３ｃ    第２接続端子
３３ｄ    第３接続端子
３４      方向性結合回路
３４ａ    信号伝送路
３４ｂ    カップリング経路
３４ｃ    カップリング出力端
３５      電力検出回路
３６      電圧比較回路
３７      第２スイッチ回路
３７ａ    アンテナ用共通端子
３７ｂ    アンテナ用第１接続端子
３７ｃ    アンテナ用第２接続端子
３７ｄ    アンテナ用第３接続端子
３８      アンテナ
３９      高周波端子
４０      本体側通信モジュール
５０      信号伝送用ケーブル
１００    無線通信モジュール
２００    無線通信モジュール
３００    無線通信モジュール
【図１】
2015133623.tif 000003
【図２】
2015133623.tif 000004
【図３】
2015133623.tif 000005
【図４】
2015133623.tif 000006
【図５】
2015133623.tif 000007
【図６】
2015133623.tif 000008
【図７】
2015133623.tif 000009
【図８】
2015133623.tif 000010